(57)【要約】【課題】照射部と反射部とを両方とも冷却する。【解決手段】レーザ定着装置は、照射領域Ｒにレーザ光Ｌを照射するレーザアレイ３１と、照射領域Ｒに搬送された連続紙Ｓにより乱反射されたレーザ光Ｌを照射領域Ｒに向かって反射させる反射部材３２と、レーザアレイ３１と反射部材３２とに接触し、内部に形成された流路を冷却液が流通することによりレーザアレイ３１及び反射部材３２を冷却する冷却ブロック４１とを備える。【選択図】図２
2014077829.tif 000002
【特許請求の範囲】
【請求項１】
予め定められた照射領域に光を照射する照射部と、
前記照射領域に搬送された記録媒体により反射された前記光を当該照射領域に向かって反射させる反射部と、
前記照射部と前記反射部とに接触し、内部に形成された流路を冷却液が流通することにより当該照射部及び当該反射部を冷却する第１冷却体と
を備える定着装置。
【請求項２】
前記流路は、前記照射部と対応する位置を通るように形成される
請求項１に記載の定着装置。
【請求項３】
複数の前記照射部を備え、
前記第１冷却体は、複数の部分冷却体に分割され、
前記複数の部分冷却体は、管により前記流路が接合され、前記複数の照射部にそれぞれ接触する
請求項１又は２に記載の定着装置。
【請求項４】
前記反射部に接触し、内部に形成された流路を冷却液が流通することにより当該反射部を冷却する第２冷却体をさらに備える
請求項１から３のいずれか１項に記載の定着装置。
【請求項５】
記録媒体上に画像を形成する画像形成部と、
前記画像を前記記録媒体に定着させる請求項１から４のいずれか１項に記載の定着装置と
を備える画像形成装置。
【発明の詳細な説明】
【技術分野】
【０００１】
本発明は、定着装置及び画像形成装置に関する。
【背景技術】
【０００２】
画像形成装置において、光を照射することによりトナーを記録媒体に定着させる技術が提案されている。例えば特許文献１には、レーザ定着装置において、用紙で反射されたレーザ光を再び用紙に照射させるために集光体を設けることが記載されている。特許文献２には、フラッシュ定着装置において、冷却風によりフラッシュランプを冷却することが記載されている。
【先行技術文献】
【特許文献】
【０００３】
【特許文献１】特開２０１１−０４３６０９号公報
【特許文献２】特開２００７−０６５３６０号公報
【発明の概要】
【発明が解決しようとする課題】
【０００４】
本発明は、照射部と反射部とを両方とも冷却することを目的とする。
【課題を解決するための手段】
【０００５】
請求項１に係る発明は、予め定められた照射領域に光を照射する照射部と、前記照射領域に搬送された記録媒体により反射された前記光を当該照射領域に向かって反射させる反射部と、前記照射部と前記反射部とに接触し、内部に形成された流路を冷却液が流通することにより当該照射部及び当該反射部を冷却する第１冷却体とを備える定着装置である。
【０００６】
請求項２に係る発明は、請求項１に記載の定着装置において、前記流路は、前記照射部と対応する位置を通るように形成される。
【０００７】
請求項３に係る発明は、請求項１又は２に記載の定着装置において、複数の前記照射部を備え、前記第１冷却体は、複数の部分冷却体に分割され、前記複数の部分冷却体は、管により前記流路が接合され、前記複数の照射部にそれぞれ接触する。
【０００８】
請求項４に係る発明は、請求項１から３のいずれか１項に記載の定着装置において、前記反射部に接触し、内部に形成された流路を冷却液が流通することにより当該反射部を冷却する第２冷却体をさらに備える。
【０００９】
請求項５に係る発明は、記録媒体上に画像を形成する画像形成部と、前記画像を前記記録媒体に定着させる請求項１から４のいずれか１項に記載の定着装置とを備える画像形成装置である。
【発明の効果】
【００１０】
請求項１に係る発明によれば、照射部と反射部とを両方とも冷却することができる。
請求項２に係る発明によれば、照射部の位置を考慮しない場合に比べて、照射部を効率的に冷却することができる。
請求項３に係る発明によれば、一体の第１冷却体で複数の照射部を冷却する場合に比べて、第１冷却体の冷却能力の低下を抑制することができる。
請求項４に係る発明によれば、第１冷却体だけで反射部を冷却する場合に比べて、反射部を効率的に冷却することができる。
請求項５に係る発明によれば、照射部と反射部とを両方とも冷却することができる。
【図面の簡単な説明】
【００１１】
【図１】実施形態に係る画像形成装置の構成を示す図である。
【図２】レーザ定着装置の正面図である。
【図３】レーザ定着装置を図２中の矢印Ｉ方向から見た側面図である。
【図４】冷却部の構成を示す図である。
【図５】反射部材の温度変化を示すグラフである。
【図６】反射部材が高温になったときの影響を説明する図である。
【図７】変形例１に係る冷却ブロックの構成を示す図である。
【図８】変形例２に係る冷却ブロックの構成を示す図である。
【図９】変形例３に係る冷却ブロックの構成を示す図である。
【図１０】変形例４に係るレーザ定着装置の正面図である。
【発明を実施するための形態】
【００１２】
図１は、実施形態に係る画像形成装置１０の構成を示す図である。画像形成装置１０は、プリンタ機能を有し、電子写真方式に従って連続紙Ｓに画像を形成する。なお、画像形成装置１０は、プリンタ機能の他に、コピー機やファクシミリ機能を有していてもよい。
【００１３】
画像形成装置１０は、取込ユニット１１と、画像形成ユニット１２Ｙ、１２Ｍ、１２Ｃ、１２Ｋと、定着ユニット１３とを備えている。これらの各ユニットの内部には、画像形成時に連続紙Ｓを図中矢印Ａ方向に搬送する複数のローラが設けられている。これらのローラや図示せぬガイド部材によって連続紙Ｓの搬送路が形成されている。図１では、搬送路に沿って延びる連続紙Ｓによって搬送路の形状が表されている。
【００１４】
取込ユニット１１は、図示せぬ用紙供給源から連続紙Ｓを自装置内に取り込む。取込ユニット１１は、ドライブローラ１１１、バックテンションローラ１１２及びこれらのローラを回転させる駆動源としてのモータ（図示略）のほか、連続紙Ｓの搬送に従動して回転する複数のローラを備えている。ドライブローラ１１１は、画像形成時に図中の矢印ａ方向に回転することで、用紙供給源から供給される連続紙Ｓを画像形成ユニット１２Ｙ、１２Ｍ、１２Ｃ、１２Ｋへと搬送する。バックテンションローラ１１２は、画像形成時の連続紙Ｓの搬送方向についてドライブローラ１１１よりも上流側に設けられており、矢印ｂ方向に回転することで、連続紙Ｓに適度な張力を与え、連続紙Ｓが搬送路上でたるまずに搬送されるようにする。
【００１５】
画像形成ユニット１２Ｙ、１２Ｍ、１２Ｃ、１２Ｋは、連続紙Ｓにトナー像を形成する。画像形成ユニット１２Ｙ、１２Ｍ、１２Ｃ、１２Ｋはそれぞれ、イエロー（Ｙ）色、マゼンタ（Ｍ）色、シアン（Ｃ）色及びブラック（Ｋ）色のトナーを用いて画像形成を行う。この画像形成ユニット１２Ｙ、１２Ｍ、１２Ｃ、１２Ｋは、本実施形態においては画像形成部として用いられる。画像形成ユニット１２Ｙ、１２Ｍ、１２Ｃ、１２Ｋの構成は、トナーの色が異なる点を除けば同じであるから、ここでは、画像形成ユニット１２Ｋの構成を例に挙げて説明する。
【００１６】
画像形成ユニット１２Ｋは、感光体ドラム１２１Ｋと、帯電部１２２Ｋと、露光部１２３Ｋと、現像部１２４Ｋと、転写部１２５Ｋとを備えている。感光体ドラム１２１Ｋは、外周面に光導電膜を積層した円筒状の部材である。感光体ドラム１２１Ｋは、軸を中心に矢印Ｂ方向に回転する。帯電部１２２Ｋは、感光体ドラム１２１Ｋの表面を一様に帯電させる。露光部１２３Ｋは、Ｋ（ブラック）の画像データに応じた光を感光体ドラム１２１Ｋに照射して静電潜像を形成する。現像部１２４Ｋは、静電潜像をブラックのトナーで現像して感光体ドラム１２１Ｋの表面にトナー像を形成する。転写部１２５Ｋは、このトナー像を連続紙Ｓに転写する。
【００１７】
定着ユニット１３は、図示せぬ駆動部によって駆動されるサブドライブローラ（または排出ローラ）１３１及びレーザ定着装置１３３のほか、連続紙Ｓの搬送に従動して回転する複数のローラを備えている。サブドライブローラ１３１は矢印ｃ方向に回転することで、連続紙Ｓを矢印Ａの向きに画像形成装置１０外へと搬送する。サブドライブローラ１３１により排出された連続紙Ｓは、用紙巻取り装置（図示せず）によって巻き取られる。或いは、排出された連続紙Ｓを裁断した後、スタッカ（図示せず）に収容してもよい。
【００１８】
図２及び図３を用いてレーザ定着装置１３３の構成について説明する。図２は、レーザ定着装置１３３の正面図である。図３は、レーザ定着装置１３３を図２中の矢印Ｉ方向から見た側面図である。レーザ定着装置１３３は、レーザ光Ｌを照射することにより、連続紙Ｓに転写されたトナー像を連続紙Ｓに定着させる。具体的には、レーザ定着装置１３３は、複数のレーザアレイ３１と、反射部材３２と、搬送ローラ３３と、冷却部３４とを備えている。
【００１９】
複数のレーザアレイ３１は、図３に示すように、連続紙Ｓの幅方向（Ｘ軸方向）に沿って一列に並んで配置されている。複数のレーザアレイ３１は、連続紙Ｓの幅方向にわたる照射領域Ｒにレーザ光Ｌを照射する。この照射領域Ｒは、連続紙Ｓの用紙幅に応じて予め定められている。なお、図３に示すように、隣り合うレーザアレイ３１によりレーザ光Ｌが照射される領域は、重なっていてもよい。各レーザアレイ３１の端には、レーザ光Ｌを照射する複数の発光素子３５が一列に並べて配置されている。発光素子３５は、例えば８００〜１２００ｎｍの波長域を有する赤外レーザ光を照射する半導体レーザ素子である。また、各レーザアレイ３１には、複数の発光素子３５の前にコリメートレンズ３６が設けられている。コリメートレンズ３６は、複数の発光素子３５から照射されたレーザ光Ｌを集光する。コリメートレンズ３６は、例えばファーストアクシスコリメーションレンズ（ＦＡＣレンズ）である。
【００２０】
反射部材３２は、アルミニウム等の光を反射させる素材で形成された半円筒形の部材である。反射部材３２は、半円形の断面形状を有している。反射部材３２は、レーザアレイ３１と搬送ローラ３３との間に設けられており、その軸方向（Ｘ軸方向）に沿ってレーザアレイ３１が配列されるようになっている。反射部材３２の内周面は、レーザ光Ｌを照射領域Ｒに向かって反射させる反射面３２ａになっている。反射面３２ａは、照射領域Ｒを覆うように設けられている。反射部材３２の周方向の中央部には、各レーザアレイ３１に対向する位置に開口部３２ｂが形成されている。この開口部３２ｂには、ガラス板が設けられている。なお、開口部３２ｂは、反射部材３２の軸方向に沿って連続して設けられていてもよいし、各レーザアレイ３１に対向する位置に個別に設けられていてもよい。また、反射部材３２には、反射面３２ａを覆うようにガラス板３８が設けられている。このガラス板３８は、未定着のトナーに含まれる樹脂等の成分が反射面３２ａに付着するのを防止する役割を担う。
【００２１】
搬送ローラ３３は、軸を中心に図中の矢印ｄ方向に回転する円筒形の部材である。搬送ローラ３３は、図示せぬ駆動部により回転される。搬送ローラ３３は、搬送された連続紙Ｓを照射領域Ｒにて支持しつつ、この連続紙Ｓをサブドライブローラ１３１へと搬送する。
【００２２】
レーザアレイ３１から照射されたレーザ光Ｌは、開口部３２ｂ及びガラス板３８を介して、照射領域Ｒに搬送された連続紙Ｓに照射される。レーザ光Ｌが連続紙Ｓ上のトナーに照射されると、トナーが加熱溶融され、連続紙Ｓに定着される。また、レーザ光Ｌが連続紙Ｓに照射されると、連続紙Ｓにより乱反射される。乱反射されたレーザ光Ｌは、反射面３２ａにより照射領域Ｒに向かって反射され、再び連続紙Ｓに照射される。このレーザ光Ｌも、トナーの定着に用いられる。
【００２３】
図４は、冷却部３４の構成を示す図である。図４では、図２中の矢印II方向から見た冷却ブロック４１を表している。なお、ここでは、複数のレーザアレイ３１を図中の左側から順番に「レーザアレイ３１ａ、３１ｂ、・・・３１ｇ」という。冷却部３４は、水冷方式で複数のレーザアレイ３１と反射部材３２とを冷却する。具体的には、冷却部３４は、冷却ブロック４１と、ポンプ４２と、ラジエーター４３とを備えている。冷却ブロック４１、ポンプ４２及びラジエーター４３の間は、配管４４により接続されている。冷却ブロック４１は、銅等の熱伝導性に優れた素材で形成された直方体状の部材である。図２に示すように、冷却ブロック４１は、本体４１ａと蓋４１ｂとにより構成されている。冷却ブロック４１は、複数のレーザアレイ３１と反射部材３２とに接触するように設けられている。また、冷却ブロック４１の内部には、冷却液が流通する流路４５が形成されている。流路４５は、例えば本体４１ａの一方の面に流路４５に沿って溝を掘り、この面を中にして本体４１ａと蓋４１ｂとを接合することにより形成される。
【００２４】
流路４５は、冷却ブロック４１において各レーザアレイ３１に接触する領域の近傍を通っている。具体的には、図４に示すように、流路４５は、まず配管４４に通じる入り口４５ａからＹ軸方向に沿って進み、レーザアレイ３１ａと接触する領域から見てＺ軸方向の位置を通る。冷却ブロック４１のＹ軸方向の端部に到達すると、流路４５は折り返して−Ｙ軸方向に沿って進み、レーザアレイ３１ａに隣接するレーザアレイ３１ｂと接触する領域から見てＺ軸方向の位置を通る。冷却ブロック４１の−Ｙ軸方向の端部に到達すると、流路４５は折り返してＹ軸方向に沿って進み、レーザアレイ３１ｂと隣接するレーザアレイ３１ｃとの接触する領域から見てＺ軸方向の位置を通る。このようにして、流路４５は、冷却ブロック４１内をＹ軸方向及び−Ｙ軸方向に往復しながら、レーザアレイ３１ａ、３１ｂ、・・・、３１ｇと接触する領域から見てＺ軸方向の位置を順番に通って、配管４４に通じる出口４５ｂへと向かう。
【００２５】
ポンプ４２は、ポンプ４２、冷却ブロック４１及びラジエーター４３の間において冷却液を循環させる。この冷却液は、例えば水である。ラジエーター４３は、冷却ブロック４１で温められた冷却液を冷却する。ラジエーター４３には、冷却ファンが設けられていてもよい。
【００２６】
ポンプ４２から送り出された冷却液は、図中の矢印Ｆ方向に沿って配管４４の中を流れ、入り口４５ａから冷却ブロック４１内に流入し、冷却ブロック４１内の流路４５を通る。このとき、冷却ブロック４１に接触する複数のレーザアレイ３１及び反射部材３２から冷却液に熱が移動し、複数のレーザアレイ３１及び反射部材３２が冷却される。冷却液は、出口４５ｂから配管４４に流出された後、ラジエーター４３で冷却され、再びポンプ４２に戻る。
【００２７】
本実施形態において、レーザアレイ３１と反射部材３２を冷却するのは以下のような理由による。図５は、反射部材３２の温度変化を示すグラフである。反射部材３２の反射面３２ａには、連続紙Ｓにより乱反射されたレーザ光Ｌが当たる。これにより、図５のグラフに示すように、画像形成中においては、時間の経過とともに反射部材３２の温度が高くなっていく。なお、このグラフでは、８００ｓ（秒）と１０００ｓの間で温度が低下しているが、これは画像の形成が終了したためである。
【００２８】
図６は、反射部材３２が高温になったときの影響を説明する図である。なお、図６では、レーザアレイ３１、冷却ブロック４１、ガラス板３８の図示を省略している。反射部材３２は、高温になると熱膨張により図中の破線で示すように反射面３２ａが変形してしまう。レーザ定着装置１３３においては、トナーの定着はライン状の照射領域Ｒにおいて行われるため、反射部材３２は、レーザ光Ｌをこの照射領域Ｒに向かって正確に反射させる必要がある。しかし、反射面３２ａが変形すると、反射面３２ａにより反射されたレーザ光Ｌは、照射領域Ｒからずれた領域に照射される。この場合、反射部材３２により反射されたレーザ光Ｌはトナーの定着に利用されず、トナーの定着性が悪化する。このような問題を防止するために、反射部材３２を冷却することが必要なのである。
【００２９】
また、レーザアレイ３１は、レーザ光Ｌの照射により発熱し高温になる。レーザアレイ３１が高温（例えば、３０度以上の温度）になると、光変換効率が悪くなり光出力が低下する。このような問題を防止するために、レーザアレイ３１を冷却することが必要なのである。
【００３０】
上述した実施形態によれば、レーザアレイ３１及び反射部材３２が両方とも冷却され、レーザアレイ３１及び反射部材３２が高温になるのが抑制される。これにより、反射面３２ａが熱変形しにくくなり、反射部材３２により反射されたレーザ光Ｌが照射領域Ｒに照射される精度が高くなる。また、レーザアレイ３１の光出力の低下が抑制される。また、レーザアレイ３１と反射部材３２とを共通の冷却ブロック４１で冷却することにより、レーザ定着装置１３３の小型化が図れる。
【００３１】
上述した実施形態は、本発明の一例であり、本発明はこの実施形態に限定されない。上述した実施形態を以下のように変形して実施してもよい。また、以下の変形例を組み合わせて実施してもよい。
【００３２】
（１）変形例１
上述した実施形態では、複数のレーザアレイ３１に対して一体の冷却ブロック４１が設けられていた。しかし、冷却ブロック４１は、レーザアレイ３１毎に、複数の部分冷却ブロックに分割されてもよい。図７は、変形例１に係る冷却ブロック４１Ａの構成を示す図である。この変形例では、冷却ブロック４１Ａは、部分冷却ブロック４７ａ、４７ｂ、・・・４７ｇ（以下、総称して「部分冷却ブロック４７」という）に分割されている。複数の部分冷却ブロック４７は、複数のレーザアレイ３１にそれぞれ接触するように設けられている。
【００３３】
また、隣り合う部分冷却ブロック４７の流路４５は、管４８で接合されている。例えば、部分冷却ブロック４７ａの流路４５の出口４５ｃは、管４８ａの一端に通じている。部分冷却ブロック４７ｂの流路４５の入り口４５ｄは、管４８ａの他端に通じている。管４８ａは、部分冷却ブロック４７ａ及び４７ｂの図中の正面からＺ軸方向（紙面手前方向）に突出している。部分冷却ブロック４７ｂの流路４５の出口４５ｅは、管４８ｂの一端に通じている。部分冷却ブロック４７ｃの流路４５の入り口４５ｆは、管４８ｂの他端に通じている。管４８ｂは、部分冷却ブロック４７ｂ及び４７ｃの図中の上面から−Ｙ軸方向に突出している。なお、図７では、管４８ｂ及び４６ｄは部分冷却ブロック４７の図中の上面から−Ｙ軸方向に突出しているが、全ての管４８が部分冷却ブロック４７の図中の正面からＺ軸方向に突出していてもよい。
【００３４】
上述した実施形態のように冷却ブロック４１が一体である場合には、例えば隣り合うレーザアレイ３１の間隔が大きいと、冷却ブロック４１においてレーザアレイ３１と接触していない部分の面積が大きくなる。この場合、冷却ブロック４１内を流れる冷却液は、例えば画像形成装置１０内の空気の熱によって温められ、冷却ブロック４１の冷却能力が低下してしまう。しかし、変形例１によれば、隣り合うレーザアレイ３１の間に冷却ブロック４１Ａを設ける必要がないため、このような場合であっても、冷却ブロック４１Ａの冷却能力の低下が抑制される。
【００３５】
この変形例で説明した部分冷却ブロック４７は、部分冷却体の一例である。部分冷却ブロック４７は、管４８により流路４５が接合され、複数のレーザアレイ３１にそれぞれ接触するものであれば、この変形例で説明した構造と異なる構造を有していてもよい。
【００３６】
（２）変形例２
上述した実施形態で説明した冷却ブロック４１は、第１冷却体の一例である。冷却ブロック４１は、レーザアレイ３１と反射部材３２とに接触していれば、実施形態で説明した構造と異なる構造を有していてもよい。図８は、変形例２に係る冷却ブロック４１Ｂの構成を示す図である。この冷却ブロック４１Ｂの内部には、マイクロチャンネルと呼ばれる狭隘な流路４５Ｂが形成されている。この流路４５Ｂは、例えば微細加工により微細な流路が形成された銅板を積層することにより形成される。冷却ブロック４１Ｂでは、レーザアレイ３１と接触する領域全体に対応する位置に流路４５Ｂが通っている。変形例２によれば、各レーザアレイ３１内の冷却の均一性が向上する。
【００３７】
（３）変形例３
上述した実施形態で説明した流路４５が通る位置は、レーザアレイ３１と対応する位置の一例である。流路４５は、実施形態で説明した位置と異なる位置を通ってもよい。図９は、変形例３に係る冷却ブロック４１Ｃの構成を示す図である。冷却ブロック４１Ｃの内部には、流路４５Ｃが形成されている。この流路４５Ｃは、まず入り口４５ａからＸ軸方向に沿って進み、レーザアレイ３１ａ、３１ｂ、・・・３１ｇと接触する領域から見てＺ軸方向の位置を順番に通る。冷却ブロック４１のＸ軸方向の端部に到達すると、流路４５Ｃは折り返して−Ｘ軸方向に沿って進み、レーザアレイ３１ｇ、３１ｆ、・・・、３１ａと接触する領域から見てＺ軸方向の位置を順番に通る。冷却ブロック４１の−Ｘ軸方向の端部に到達すると、流路４５Ｃは折り返してＸ軸方向に沿って進み、レーザアレイ３１ａ、３１ｂ、・・・３１ｇと接触する領域から見てＺ軸方向の位置を順番に通る。このようにして、流路４５は、冷却ブロック４１内をＸ軸方向及び−Ｘ軸方向に往復しながら、出口４５ｂへと向かう。なお、図９では、流路４５Ｃはつづら折状であるが、渦巻き状等の他の形状であってもよい。実施形態においても同様である。
【００３８】
図４に示す流路４５では、冷却液は流路４５を通っている間に温められるため、入り口４５ａに近いレーザアレイ３１の冷却効率は高いが、入り口４５ａから遠くなるにつれレーザアレイ３１の冷却効率が低下してしまう。しかし、この変形例３によれば、図９に示すように、冷却液はレーザアレイ３１の配列方向（Ｘ軸方向及び−Ｘ軸方向）に沿って移動するため、レーザアレイ３１間の冷却効率の差が少なくなる。
【００３９】
（４）変形例４
上述した実施形態では、１個の冷却ブロック４１だけが設けられていた。しかし、冷却ブロック４１の数は１個に限定されない。実施形態で説明した冷却ブロック４１に加えて、さらに別の冷却ブロックが設けられていてもよい。図１０は、変形例４に係るレーザ定着装置１３３Ａの正面図である。レーザ定着装置１３３Ａには、冷却ブロック４１に加えて、冷却ブロック４９が設けられている。冷却ブロック４９は、反射部材３２の円周方向に沿って冷却ブロック４１と並べて配置されている。冷却ブロック４９は、冷却ブロック４１と同様の構成を備えている。ただし、冷却ブロック４９は、レーザアレイ３１には接触しておらず、反射部材３２に接触するように設けられている。冷却ブロック４９の内部には、冷却ブロック４１と同様に流路が形成されている。冷却ブロック４９の流路は、図示せぬ配管を通じて冷却ブロック４１及びラジエーター４３に接続される。これにより、ポンプ４２、冷却ブロック４１、冷却ブロック４９及びラジエーター４３の間で冷却液が循環する。これにより、冷却ブロック４９の内部に冷却液が流通し、冷却ブロック４９に接触する反射部材３２が冷却される。変形例４によれば、反射部材３２の冷却効率が向上する。
【００４０】
また、冷却ブロック４９は、反射部材３２において、連続紙Ｓで乱反射されたレーザ光Ｌが照射されやすい領域の円周面に接触する位置に設けられてもよい。このレーザ光Ｌが照射されやすい領域とは、例えばレーザ光Ｌの照射量が閾値よりも大きい領域である。この領域は、例えばレーザ光Ｌの照射方向に応じて計算により求めてもよいし、実験により求めてもよい。
【００４１】
この変形例で説明した冷却ブロック４９は、第２冷却体の一例である。冷却ブロック４９は、反射部材３２に接触するものであれば、この変形例で説明した構造と異なる構造を有していてもよい。
【００４２】
（５）変形例５
上述した実施形態では、冷却部３４は、レーザアレイ３１と反射部材３２を冷却していた。しかし、冷却部３４が冷却する対象は、レーザアレイ３１と反射部材３２に限定されない。冷却部３４は、レーザアレイ３１と反射部材３２に加えて、搬送ローラ３３を冷却してもよい。この場合、搬送ローラ３３の内部には、軸方向に沿って流路が形成される。搬送ローラ３３の流路は、配管を通じて冷却ブロック４１及びラジエーター４３に接続さてる。これにより、ポンプ４２、冷却ブロック４１、搬送ローラ３３、ラジエーター４３の間で冷却液が循環する。これにより、搬送ローラ３３の内部に冷却液が流通し、搬送ローラ３３が冷却される。
【００４３】
（６）変形例６
上述した実施形態では、連続紙Ｓの幅方向に沿って複数のレーザアレイ３１が一列に並べて配置されていた。しかし、反射部材３２の周方向に沿って二列のレーザアレイ３１が設けられていてもよい。この二列のレーザアレイ３１は、共通の照射領域Ｒにレーザ光Ｌを照射する。この場合、冷却ブロック４１は、二列のレーザアレイ３１の間において、両方の列のレーザアレイ３１に接触するように設けられてもよい。
【００４４】
（７）変形例７
上述した実施形態では、レーザアレイ３１にコリメートレンズ３６が設けられていた。しかし、必ずしもレーザアレイ３１にコリメートレンズ３６が設ける必要はない。例えば、レーザアレイ３１にコリメートレンズ３６を設けず、開口部３２ｂに集光レンズを設けてもよい。
【００４５】
（８）変形例８
上述した実施形態で説明した反射部材３２は、反射部の一例である。反射部材３２は、連続紙Ｓにより乱反射された光を照射領域Ｒに向かって反射させるものであれば、実施形態で説明した構造と異なる構造を有していてもよい。
【００４６】
（９）変形例９
上述した実施形態で説明したレーザ定着装置１３３は定着装置の一例であり、レーザアレイ３１は照射部の一例である。定着装置は、レーザ定着方式で定着を行うものに限定されない。例えば、定着装置は、フラッシュ定着方式で定着を行うものであってもよい。この場合、フラッシュ光を照射するフラッシュ定着装置が定着装置として用いられ、フラッシュ光を照射するキセノンランプ等のフラッシュランプが照射部として用いられる。
【００４７】
（１０）変形例１０
上述した実施形態で説明した連続紙Ｓは、記録媒体の一例である。記録媒体は、連続紙Ｓに限定されない。例えば、記録媒体は、予め決められたサイズに裁断されたカット紙であってもよい。
【００４８】
（１１）変形例１１
上述した実施形態で説明した画像形成ユニット１２Ｙ、１２Ｍ、１２Ｃ及び１２Ｋは、画像形成部の一例である。画像形成部は、画像形成ユニット１２Ｙ、１２Ｍ、１２Ｃ及び１２Ｋに限定されない。例えば、画像形成装置１０がモノクロの画像を形成する場合には、画像形成装置１０は、画像形成ユニット１２Ｙ、１２Ｍ及び１２Ｃを備える必要はない。この場合、画像形成ユニット１２Ｋが画像形成部として用いられる。
【符号の説明】
【００４９】
１０…画像形成装置、１２Ｙ、１２Ｍ、１２Ｃ、１２Ｋ…画像形成ユニット、１３３…レーザ定着装置、３１…レーザアレイ、３２…反射部材、３３…搬送ローラ、３４…冷却部、４１、４１Ａ、４１Ｂ、４１Ｃ、４９…冷却ブロック、４２…ポンプ、４３…ラジエーター、４５、４５Ａ、４５Ｂ、４５Ｃ…流路、４７…部分冷却ブロック
【図１】
2014077829.tif 000003
【図２】
2014077829.tif 000004
【図３】
2014077829.tif 000005
【図４】
2014077829.tif 000006
【図５】
2014077829.tif 000007
【図６】
2014077829.tif 000008
【図７】
2014077829.tif 000009
【図８】
2014077829.tif 000010
【図９】
2014077829.tif 000011
【図１０】
2014077829.tif 000012